(57)【要約】  ＣＳＩ参照信号のスケジューリング柔軟性は、同じサブフレームで送信された複数の非零ＣＳＩ−ＲＳを使用して、または、他の同期信号と同じサブフレームで送信されたＣＳＩ−ＲＳを使用して時間および周波数の同期を可能にする。同様に、複数の同期信号は、セル固有参照信号を用いることなく微細な時間および周波数の同期を可能にするために同じサブフレームでスケジュールされることがある。【選択図】図４
2014531867.tif 000002
【特許請求の範囲】
【請求項１】
直交周波数分割多重化（ＯＦＤＭ）システムにおける同期のための参照信号を送信する方法（１００）であって、前記方法は、
第１のチャネル状態情報（ＣＳＩ）参照信号のための第１の時間リソースおよび周波数リソースの割り当てを定義する、第１の伝送リソースの構成に従って、複数のサブフレームの中の第１のスロットにおいて前記第１のＣＳＩ参照信号を送信すること（１１０）と、
第２のＣＳＩ参照信号のための第２の時間リソースおよび周波数リソースの割り当てを定義する、第２の伝送リソースの構成に従って、前記複数のサブフレームのうちの１つ以上の中の第２のスロットにおいて前記第２のＣＳＩ参照信号を送信すること（１２０）と、を含み、また、
前記複数のサブフレームのうちの少なくとも第１のサブフレームの中の前記第１のスロットと前記第２のスロットの両方において同じアンテナポートから前記第１および第２のＣＳＩ参照信号を送信すること（１３０）によって特徴付けられる、方法（１００）。
【請求項２】
前記第１の構成に従って前記第１のＣＳＩ参照信号を送信することは、第１の繰り返し周波数で２つ以上のサブフレームの中の前記第１のスロットにおいて前記第１のＣＳＩ参照信号を周期的に送信することを含み、また、
前記第２の構成に従って前記第２のＣＳＩ参照信号を送信することは、前記第１の繰り返し周波数と異なる第２の繰り返し周波数で前記サブフレームのうちの２つ以上の中の前記第２のスロットにおいて前記第２のＣＳＩ参照信号を周期的に送信することを含む、請求項１に記載の方法。
【請求項３】
前記第１の伝送リソースの構成は、第１のアンテナポートの組からのＣＳＩ参照信号の送信をサポートし、
前記第２の伝送リソースの構成は、第２のアンテナポートの組からのＣＳＩ参照信号の送信をサポートし、
前記第１および第２のアンテナポートの組は、異なった数のアンテナポートを有し、また、
前記第１および第２のアンテナポートの組は、前記第１および第２のＣＳＩ参照信号の送信のための少なくとも１つの共通アンテナポートを含む、請求項１に記載の方法。
【請求項４】
前記第１のアンテナポートの組は、前記第２の組より多数のアンテナポートを有し、また、前記第１のＣＳＩ参照信号の前記繰り返し周波数は、前記第２のＣＳＩ参照信号より短い、請求項３に記載の方法。
【請求項５】
前記第１および第２のＣＳＩ参照信号のための構成情報をダウンリンク・ブロードキャスト・チャネルでユーザ端末に送信することをさらに含む、請求項１に記載の方法。
【請求項６】
直交周波数分割多重化（ＯＦＤＭ）システムにおける基地局（２０）であって、前記基地局は、
ワイヤレス通信チャネルを介してユーザ端末と通信するように構成された送受信回路（２２）と、また、
前記送受信回路を経由する前記ユーザ端末への送信のための参照信号を供給する制御回路（２４）と、を備え、前記制御回路は、
１つ以上のサブフレームの第１のスロットにおいて第１のチャネル状態情報（ＣＳＩ）参照信号を送信するように、
同じサブフレームのうちの１つ以上の中の第２のスロットにおいて第２のＣＳＩ参照信号を送信するように、また、
同じアンテナポートから前記第１および第２のＣＳＩ参照信号を送信するように構成された、基地局（２０）。
【請求項７】
前記制御回路は、
第１の繰り返し周波数で前記２つ以上のサブフレームの中の前記第１のスロットにおいて前記第１のＣＳＩ参照信号を周期的に送信するように、また、
前記第１の繰り返し周波数と異なる第２の繰り返し周波数で前記サブフレームのうちの２つ以上の中の前記第２のスロットにおいて前記第２のＣＳＩ参照信号を周期的に送信するようにさらに構成された、請求項６に記載の基地局。
【請求項８】
前記制御回路は、
第１のアンテナポートの組から前記第１のスロットにおいて第１のＣＳＩ参照信号の組を送信するように、
前記第１の組と異なる数のアンテナポートを有する第２のアンテナポートの組から前記第２のスロットにおいて第２のＣＳＩ参照信号の組を送信するようにさらに構成され、また、
前記第１および第２のアンテナポートの組は、前記第１および第２のＣＳＩ参照信号の送信のための少なくとも１つの共通アンテナポートを含む、請求項７に記載の基地局。
【請求項９】
前記第１のアンテナポートの組は、前記第２の組より多数のアンテナポートを有し、また、前記第１のＣＳＩ参照信号の組の前記繰り返し周波数は、前記第２のＣＳＩ参照信号の組より短い、請求項８に記載の基地局。
【請求項１０】
前記制御回路は、前記第１および第２のＣＳＩ参照信号のための構成情報をダウンリンク・ブロードキャスト・チャネルで前記ユーザ端末に送信するようにさらに構成された、請求項７に記載の基地局。
【請求項１１】
直交周波数分割多重化（ＯＦＤＭ）システムにおける同期の方法（１５０）であって、前記方法は、
第１のチャネル状態情報（ＣＳＩ）参照信号のための第１の時間リソースおよび周波数リソースの割り当てを定義する、第１の伝送リソースの構成に従って、複数のサブフレームの中の第１のスロットにおいて前記第１のＣＳＩ参照信号を受信すること（１６０）と、
第２のＣＳＩ参照信号のための第２の時間リソースおよび周波数リソースの割り当てを定義する、前記第１の構成と異なる第２の伝送リソースの構成に従って、前記複数のサブフレームのうちの１つ以上の中の第２のスロットにおいて第２のＣＳＩ参照信号を受信すること（１７０）と、を含み、
前記複数のサブフレームのうちの少なくとも第１のサブフレームの中の前記第１のスロットと前記第２のスロットの両方の間に同じアンテナポートで送信されたＣＳＩ参照信号を受信すること（１８０）と、また、
前記第１のサブフレームの間に受信された前記第１および第２のＣＳＩ参照信号を使用して前記ＯＦＤＭシステムと同期すること（１９０）と、によって特徴付けられている、方法（１５０）。
【請求項１２】
前記第１の伝送リソースの構成に従って前記第１のＣＳＩ参照信号を受信することは、第１の繰り返し周波数で前記２つ以上のサブフレームの中の前記第１のスロットにおいて前記第１のＣＳＩ参照信号を周期的に受信することを含み、また、
前記第２の伝送リソースの構成に従って前記第２のＣＳＩ参照信号を受信することは、前記第１の繰り返し周波数と異なる第２の繰り返し周波数で前記サブフレームのうちの２つ以上の中の前記第２のスロットにおいて前記第２のＣＳＩ参照信号を周期的に受信することを含む、請求項１１に記載の方法。
【請求項１３】
前記第１の伝送リソースの構成は、第１のアンテナポートの組からのＣＳＩ参照信号の送信をサポートし、
前記第２の伝送リソースの構成は、第２のアンテナポートの組からのＣＳＩ参照信号の送信をサポートし、
前記第１および第２のアンテナポートの組は、異なった数のアンテナポートを有し、また、
前記第１および第２のアンテナポートの組は、前記第１および第２のＣＳＩ参照信号の送信のための少なくとも１つの共通アンテナポートを含む、請求項１２に記載の方法。
【請求項１４】
前記第１のアンテナポートの組は、前記第２の組より多数のアンテナポートを有し、また、前記第１のＣＳＩ参照信号の組の前記繰り返し周波数は、前記第２のＣＳＩ参照信号の組より短い、請求項１３に記載の方法。
【請求項１５】
前記第１および第２のＣＳＩ参照信号のための構成情報をダウンリンク・ブロードキャスト・チャネルで受信することをさらに含む、請求項１３に記載の方法。
【請求項１６】
直交周波数分割多重化（ＯＦＤＭ）システムにおけるユーザ端末（４０）であって、前記ユーザ端末は、
ワイヤレス通信チャネルを介して基地局と通信するように構成された送受信回路（４２）と、また、
前記ＯＦＤＭシステムと同期する制御回路（４４）と、を備え、
前記制御回路は、
第１のチャネル状態情報（ＣＳＩ）参照信号のための第１の時間リソースおよび周波数リソースの割り当てを定義する、第１の伝送リソースの構成に従って、複数のサブフレームの中の第１のスロットにおいて前記第１のＣＳＩ参照信号を受信するように、
第２のＣＳＩ参照信号のための時間リソースおよび周波数リソースの割り当てを定義する、前記第１の構成と異なる第２の伝送リソースの構成に従って、前記複数のサブフレームのうちの１つ以上の中の第２のスロットにおいて前記第２のＣＳＩ参照信号を受信するように、
前記複数のサブフレームのうちの少なくとも１つにおいて同じアンテナポートで前記第１および第２のＣＳＩ参照信号を受信するように、また、
前記第１および第２のＣＳＩ参照信号を使用して前記ＯＦＤＭシステムと同期するように構成された、ユーザ端末（４０）。
【請求項１７】
第１の繰り返し周波数で前記第１のスロットにおいて前記第１のＣＳＩ参照信号を周期的に受信するように、また、
前記第１の繰り返し周波数と異なる第２の繰り返し周波数で前記第２のスロットにおいて前記第２のＣＳＩ参照信号を周期的に受信するようにさらに構成された、請求項１６に記載のユーザ端末。
【請求項１８】
前記制御回路は、
第１のアンテナポートの組から２つ以上のサブフレームの中の前記第１のスロットにおいて第１のＣＳＩ参照信号の組を受信するように、また、
前記第１の繰り返し周波数と異なる第２の繰り返し周波数で同じサブフレームのうちの２つ以上の中の前記第２のスロットにおいて前記第２のＣＳＩ参照信号を受信するようにさらに構成された、請求項１６に記載のユーザ端末。
【請求項１９】
前記第１のアンテナポートの組は、前記第２の組より多数のアンテナポートを有し、また、前記第１のＣＳＩ参照信号の前記繰り返し周波数は、前記第２のＣＳＩ参照信号より短い、請求項１６に記載のユーザ端末。
【請求項２０】
前記制御回路は、前記第１および第２のＣＳＩ参照信号のための構成情報をダウンリンク・ブロードキャスト・チャネルで受信するようにさらに構成された、請求項１６に記載のユーザ端末。
【請求項２１】
直交周波数分割多重化（ＯＦＤＭ）システムにおける同期のための参照信号を送信する方法（２００）であって、前記方法は、
複数のサブフレームの中の第１のスロットにおいて第１のアンテナポートを介して同期信号を送信すること（２１０）と、また、
前記同期信号の送信のために使用された前記複数のサブフレームのうちの１つ以上の中の第２のスロットにおいて前記第１のアンテナポートを介してＣＳＩ参照信号を送信すること（２２０）と、によって特徴付けられる、方法（２００）。
【請求項２２】
前記同期信号を送信することは、さらに、第１の繰り返し周波数で前記複数のサブフレームの中の前記第１のスロットにおいて前記同期信号を周期的に送信することを含み、また、
前記ＣＳＩ参照信号を送信することは、前記第１の繰り返し周波数と異なる第２の繰り返し周波数で前記サブフレームのうちの２つ以上の中の前記第２のスロットにおいて前記ＣＳＩ参照信号を周期的に送信することを含む、請求項２１に記載の方法。
【請求項２３】
前記ＣＳＩ参照信号を送信することは、前記第１のアンテナポートを含む２つ以上の複数のアンテナポートの組を介して複数のＣＳＩ参照信号を送信することを含む、請求項２１に記載の方法。
【請求項２４】
前記同期信号は、２次同期信号を有する、請求項２１に記載の方法。
【請求項２５】
前記ＣＳＩ参照信号のための構成情報を含む制御信号をダウンリンク・ブロードキャスト・チャネルで前記ユーザ端末に送信することをさらに含む、請求項２１に記載の方法。
【請求項２６】
直交周波数分割多重化（ＯＦＤＭ）システムにおける基地局（２０）であって、前記基地局は、
ワイヤレス通信チャネルを介してユーザ端末と通信するように構成された送受信回路（２２）と、また、
前記送受信回路を経由する前記ユーザ端末への送信のための参照信号を供給する制御回路（２４）と、を備え、前記制御回路は、
１つ以上のサブフレームの中の第１のスロットにおいて同期信号を送信するように、
前記同期信号の送信のために使用された同じサブフレームのうちの１つ以上の中の第２のスロットにおいてＣＳＩ参照信号を送信するように、また、
同じアンテナポートを介して前記ＣＳＩ参照信号および前記同期信号を送信するように構成された、基地局（２０）。
【請求項２７】
前記制御回路は、
第１の繰り返し周波数で前記第１のスロットにおいて前記同期信号を周期的に送信するように、また、
前記第１の繰り返し周波数と異なる第２の繰り返し周波数で前記第２のスロットにおいて前記ＣＳＩ参照信号を周期的に送信するようにさらに構成された、請求項２６に記載の基地局。
【請求項２８】
前記制御回路は、
第１のアンテナポートから前記同期信号を送信するように、また、
前記第１のアンテナポートを含む２つ以上の複数のアンテナポートの組を介して複数のＣＳＩ参照信号を送信するようにさらに構成された、請求項２６に記載の基地局。
【請求項２９】
前記同期信号は、２次同期信号を有する、請求項２６に記載の基地局。
【請求項３０】
前記制御回路は、前記ＣＳＩ参照信号のための構成情報を含む制御信号をダウンリンク・ブロードキャスト・チャネルで前記ユーザ端末に送信するようにさらに構成された、請求項２６に記載の基地局。
【請求項３１】
直交周波数分割多重化（ＯＦＤＭ）システムにおける同期の方法（２００）であって、前記方法は、
複数のサブフレームの中の第１のスロットにおいて第１のアンテナポートを介して送信された同期信号を受信すること（２６０）と、
前記同期信号の送信のために使用された前記複数のサブフレームのうちの１つ以上の中の第２のスロットにおいて前記第１のアンテナを介して送信されたＣＳＩ参照信号を受信すること（２７０）と、また、
前記ＣＳＩ参照信号および前記同期信号を使用して前記ＯＦＤＭシステムと同期すること（２８０）によって特徴付けられる、方法（２００）。
【請求項３２】
前記同期信号を受信することは、さらに、第１の繰り返し周波数で前記第１のスロットにおいて前記同期信号を周期的に受信することを含み、また、
前記ＣＳＩ参照信号を受信することは、前記第１の繰り返し周波数と異なる第２の繰り返し周波数で第２のスロットにおいて前記ＣＳＩ参照信号を周期的に受信することを含む、請求項３１に記載の方法。
【請求項３３】
前記ＣＳＩ参照信号を受信することは、前記第１のアンテナポートを含む２つ以上の複数のアンテナポートの組を介して送信された複数のＣＳＩ参照信号を受信することを含む、請求項３１に記載の方法。
【請求項３４】
前記同期信号は、２次同期信号を有する、請求項３１に記載の方法。
【請求項３５】
前記ＣＳＩ参照信号のための構成情報を含む制御信号をダウンリンク・ブロードキャスト・チャネルを介して受信することをさらに含む、請求項３１に記載の方法。
【請求項３６】
直交周波数分割多重化（ＯＦＤＭ）システムにおけるユーザ端末（４０）であって、前記ユーザ端末は、
ワイヤレス通信チャネルを介して基地局と通信するように構成された送受信機（４２）と、また、
前記ＯＦＤＭシステムと同期する制御回路（４４）と、を備え、前記制御回路は、
第１のアンテナポートを介して複数のサブフレームの中の第１のスロットにおいて送信された同期信号を受信するように、
前記第１のアンテナポートを介して前記複数のサブフレームのうちの１つ以上の中の第２のスロットにおいて送信されたＣＳＩ参照信号を受信するように、また、
前記ＣＳＩ参照信号および同期信号を使用して前記ＯＦＤＭシステムと同期するように構成された、ユーザ端末（４０）。
【請求項３７】
前記制御回路は、
第１の繰り返し周波数で前記第１のスロットにおいて前記同期信号を周期的に受信するように、また、
前記第１の繰り返し周波数と異なる第２の繰り返し周波数で前記第２のスロットにおいて前記ＣＳＩ参照信号を周期的に受信するようにさらに構成された、請求項３６に記載のユーザ端末。
【請求項３８】
前記制御回路は、
第１のアンテナポートの組を介して１つ以上のサブフレームの中の前記第１のスロットにおいて第１の同期信号の組を受信するように、また、
前記第１のアンテナポートの組における前記アンテナポートのうちの１つから同じサブフレームのうちの１つ以上の中の前記第２のスロットにおいて前記ＣＳＩ参照信号を受信するようにさらに構成された、請求項３６に記載のユーザ端末。
【請求項３９】
前記同期信号は、２次同期信号を有する、請求項３６に記載のユーザ端末。
【請求項４０】
前記制御回路は、前記ＣＳＩ参照信号のための構成情報を含む制御信号をダウンリンク・ブロードキャスト・チャネルを介して受信するようにさらに構成された、請求項３６に記載のユーザ端末。
【請求項４１】
各サブフレームが複数のスロットを有する複数のサブフレームを有する周期無線フレームと同期するために、直交周波数分割多重化（ＯＦＤＭ）システムにおいて参照信号を送信する方法（３００）であって、前記方法は、
フレームの第１のフレームおよび前記フレームの第２のフレームで１次同期信号を送信すること（３１０）と、
第１のアンテナポートを介して前記第１のサブフレームの中の第１のスロットにおいて第１の２次同期信号を送信すること（３２０）と、また、
前記第１のアンテナポートを介して前記第１のサブフレームの中の第２のスロットにおいて第２の２次同期信号を送信すること（３３０）とによって特徴付けられる、方法（３００）。
【請求項４２】
前記１次同期信号は、基地局に関連付けられた物理レイヤセル識別情報を示し、また、
前記第１の２次同期系列および前記第２の２次同期信号は、前記基地局に関連付けられたセル識別情報グループを示す、請求項４１に記載の方法。
【請求項４３】
前記第１および第２の２次同期信号を送信することは、周波数ドメインにおいて隣接した複数のリソース・ブロックで前記第１および第２の２次同期信号を送信することを含む、請求項４１に記載の方法。
【請求項４４】
前記第２の２次同期信号を送信することは、前記第２のスロットの最後のシンボルで前記第２の同期信号を送信することを含む、請求項４１に記載の方法。
【請求項４５】
同じ繰り返し周波数で前記第１および第２の２次同期信号を周期的に送信することをさらに含む、請求項４１に記載の方法。
【請求項４６】
異なる繰り返し周波数で前記第１および第２の２次同期信号を周期的に送信することをさらに含む、請求項４１に記載の方法。
【請求項４７】
直交周波数分割多重化（ＯＦＤＭ）システムにおける基地局（２０）であって、前記基地局は、
ワイヤレス通信チャネルを介してユーザ端末と通信するように構成された送受信回路（２２）と、また、
前記送受信回路を経由する前記ユーザ端末への送信のための参照信号を供給する制御回路（２４）と、を備え、前記制御回路は、
フレームの第１のサブフレームおよびフレームの第２のサブフレームで１次同期信号を送信するように、
第１のアンテナポートを介して前記第１のサブフレームの中の第１のスロットにおいて第１の２次同期信号を送信するように、
前記第１のアンテナポートを介して前記第１のサブフレームの中の第２のスロットにおいて第２の２次同期信号を送信するように、また、
同じアンテナポートで前記第１の２次同期信号および前記第２の２次同期信号を送信するように構成された、基地局（２０）。
【請求項４８】
前記制御回路は、
前記第１のスロットにおいて前記第１の同期信号を送信するように、また、
前記第２のスロットの最後のシンボルで前記第２の同期信号を送信するように構成された、請求項４７に記載の基地局。
【請求項４９】
前記制御回路は、同じ繰り返し周波数で前記第１および第２の同期信号を周期的に送信するように構成された、請求項４７に記載の基地局。
【請求項５０】
前記制御回路は、異なる繰り返し周波数で前記第１および第２の同期信号を周期的に送信するように構成された、請求項４７に記載の基地局。
【請求項５１】
直交周波数分割多重化（ＯＦＤＭ）システムにおいて、各サブフレームが複数のスロットを有する複数のサブフレームを備えた周期無線フレームと同期する方法（３５０）であって、前記方法は、
フレームの第１のサブフレームおよび前記フレームの第２のサブフレームで送信された１次同期信号を受信すること（３６０）と、
前記第１のサブフレームの第１のスロットにおいて第１のアンテナポートによって送信された第１の２次同期信号を受信すること（３７０）と、
前記第１のサブフレームの第２のスロットにおいて前記第１のアンテナポートによって送信された第２の２次同期信号を受信すること（３８０）と、また、
前記１次同期信号、前記第１の２次同期信号、および前記第２の２次同期信号を使用して前記ＯＦＤＭシステムと同期すること（３９０）とによって特徴付けられる、方法（３５０）。
【請求項５２】
前記１次同期信号は、基地局に関連付けられた物理レイヤセル識別情報をさらに示し、また、
前記第１の２次同期系列および前記第２の２次同期信号は、前記基地局に関連付けられたセル識別情報グループをさらに示す、請求項５１に記載の方法。
【請求項５３】
前記第１および第２の２次同期信号を受信することは、周波数ドメインにおいて隣接した複数のリソース・ブロックで前記第１および第２の２次同期信号を受信することを含む、請求項５１に記載の方法。
【請求項５４】
前記第２の２次同期信号を受信することは、前記第２のスロットの前記最後のシンボルにおいて前記第２の２次同期信号を受信することを含む、請求項５１に記載の方法。
【請求項５５】
同じ繰り返し周波数で前記第１および第２の２次同期信号を周期的に受信することをさらに含む、請求項５１に記載の方法。
【請求項５６】
異なる繰り返し周波数で前記第１および第２の２次同期信号を周期的に受信することをさらに含む、請求項５１に記載の方法。
【請求項５７】
直交周波数分割多重化（ＯＦＤＭ）システムにおけるユーザ端末（４０）であって、前記ユーザ端末は、
ワイヤレス通信チャネルを介して基地局と通信するように構成された送受信回路（４２）と、また、
前記ＯＦＤＭシステムと同期する制御回路（４４）と、を備え、前記制御回路は、
フレームの第１のサブフレームおよび前記フレームの第２のサブフレームで送信された１次同期信号を受信するように、
前記第１のサブフレームの第１のスロットにおいて第１のアンテナポートを介して送信された第１の２次同期信号を受信するように、
前記第１のサブフレームの第２のスロットにおいて前記第１のアンテナポートを介して送信された第２の２次同期信号を受信するように、
また、
前記第１および第２の同期信号を使用して前記ＯＦＤＭシステムと同期するように構成された、ユーザ端末（４０）。
【請求項５８】
前記制御回路は、
前記第１のスロットにおいて前記第１の同期信号を受信するように、また、
前記第２のスロットの最後のシンボルにおいて同期信号の前記第２の組を受信するように構成された、請求項５７に記載のユーザ端末。
【請求項５９】
前記制御回路は、同じ繰り返し周波数で前記第１および第２の同期信号を周期的に受信するように構成された、請求項５７に記載のユーザ端末。
【請求項６０】
前記制御回路は、異なる繰り返し周波数で前記第１および第２の２次同期信号を周期的に受信するように構成された、請求項５７に記載のユーザ端末。
【発明の詳細な説明】
【技術分野】
【０００１】
本出願は、２０１１年１０月６日付けで提出された米国仮出願第６１／５５４，１９０号および２０１２年５月１４日付けで提出された米国特許出願第１３／４７０，４４５号の利益を主張する。
【背景技術】
【０００２】
ロング・ターム・エボリューション（ＬＴＥ）は、移動体広帯域ワイヤレス通信のための第三世代パートナーシップ・プロジェクト（３ＧＰＰ）によって開発された技術である。ＬＴＥでは、（進化型ノードＢ（ｅＮＢ）と呼ばれる）基地局から（ユーザ装置（ＵＥ）と呼ばれることがある）ユーザ端末への伝送情報は、直交周波数分割多重化（ＯＦＤＭ）を使用して送信される。ＬＴＥのようなＯＦＤＭシステムでは、広帯域搬送波は、複数の副搬送波に分割される。ＬＴＥにおける伝送の基本単位は、ほとんどの構成に関して、周波数ドメインにおける１２個の１５ｋＨｚ副搬送波と、時間ドメインにおける１個の０．５ミリ秒スロット（７個のＯＦＤＭシンボル）とを備えるリソース・ブロックである。
【０００３】
ダウンリンクで伝送情報を復調するために、ユーザ端末は第１に基地局との間で時間および周波数の同期を取る必要がある。ユーザ端末は、最初にセルに接続したとき、セル探索動作を実行する。セル探索動作中に、ユーザ端末は、基地局との間で粗い時間および周波数の同期を取り、基地局が受け持つセルのセル識別情報を決定する。セル探索手順においてユーザ端末を支援するために、基地局は、ダウンリンクで２つの同期信号：１次同期信号（ＰＳＳ）および２次同期信号（ＳＳＳ）を送信する。ＰＳＳおよびＳＳＳは、送信された信号の中心にある６個のリソース・ブロックだけの範囲に広がる。異なるセルＩＤを表す可能性のあるシーケンスは、ユーザ端末に先験的に（ａ  ｐｒｉｏｒｉ）既知であるため、ユーザ端末は、送信された信号を可能性のあるシーケンスの各々と相関させることによりセルＩＤを見つける。粗い時間および周波数の同期を取得した後、セル探索手順の間に、ユーザ端末は、ブロードキャストチャネルからシステム情報を読み取る。システム情報は、特に、アップリンクおよびダウンリンクのセル帯域幅と共通参照シンボル（ＣＲＳ）構成とに関する情報を含む。ユーザ端末は、ダウンリンクで受信された情報を復調するためにＣＲＳを使用する。ＣＲＳは、基地局との間で時間および周波数の同期を維持するためにも使用される。
【０００４】
ＣＲＳは、基地局によって送信されている信号の帯域幅全体の範囲に広がり、各サブフレーム（１ミリ秒）で４個または６個のＯＦＤＭシンボルに現れる。その結果、ＣＲＳは、時間と周波数両方の同期に役立つ。しかし、ＣＲＳは、データが送信されていないときでも各サブフレームで送信されるので、ＣＲＳが、エネルギー不足送信をもたらすこともある。さらに、異なるセルからのＣＲＳ信号間の干渉と、チャネル推定のためにＣＲＳを使用する制御チャネルに対する送信モードの数の制限とが、ＬＴＥにおける制御チャネル容量を制限する。その結果、時間および周波数の同期のためのＣＲＳへの依存を低減または除去することが望ましいであろう。
【発明の概要】
【発明が解決しようとする課題】
【０００５】
本発明は、基地局との間で時間および周波数の同期を維持するための方法および装置を提供する。本発明の例示的な実施形態では、チャネル状態情報参照信号（ＣＳＩ−ＲＳ）のスケジューリング柔軟性は、同じサブフレームで送信された複数の非零電力ＣＳＩ−ＲＳに基づいて、または、同じサブフレームで送信された他の同期信号と組み合わせたＣＳＩ−ＲＳに基づいて時間および周波数の同期を可能にするために使用される。実現される性能レベルは、セル固有参照信号（ＣＲＳ）に基づく同期と同様であるが、オーバーヘッドは低い。
【課題を解決するための手段】
【０００６】
本発明の例示的な実施形態は、時間および周波数の同期のために使用される参照信号を送信する方法を有する。１つの例示的な実施形態では、この方法は、第１の伝送リソースの構成に従って複数のサブフレームの中の第１のスロットにおいて第１のＣＳＩ参照信号を送信することと、第２の伝送リソースの構成に従って複数のサブフレームのうちの１つ以上の中の第２のスロットにおいて第２のＣＳＩ参照信号を送信することと、複数のサブフレームのうちの少なくとも１つにおいて同じアンテナポートから第１および第２のＣＳＩ参照信号を送信することと、を含む。
【０００７】
別の例示的な実施形態では、この方法は、複数のサブフレームの中の第１のスロットにおいて同期信号を送信することと、複数のサブフレームのうちの１つ以上の中の第２のスロットにおいてＣＳＩ参照信号を送信することと、複数のサブフレームのうちの少なくとも１つにおいて同じアンテナポートでＣＳＩ参照信号および同期信号を送信することと、を含む。
【０００８】
別の例示的な実施形態では、この方法は、フレームのうちの第１および第２のサブフレームにおいて１次同期信号を送信することと、第１のアンテナポートを介して第１のサブフレームの中の第１のスロットにおいて第１の２次同期信号を送信することと、第１のアンテナポートを介して第１のサブフレームの中の第２のスロットにおいて第２の２次同期信号を送信することと、を含む。
【０００９】
本発明の他の実施形態は、ユーザ端末による時間および周波数の同期を可能にするために参照信号を送信するように構成された基地局を備える。１つの例示的な実施形態では、基地局は、ワイヤレス通信チャネルを介してユーザ端末と通信するように構成された送受信回路と、ユーザ端末への送信のために参照信号を送受信回路に供給する制御回路と、を備える。制御回路は、第１の伝送リソースの構成に従って複数のサブフレームの中の第１のスロットにおいて第１のＣＳＩ参照信号を送信するように、第２の伝送資源の構成に従って複数のサブフレームのうちの１つ以上の中の第２のスロットにおいて第２のＣＳＩ参照信号を送信するように、複数のサブフレームのうちの少なくとも１つにおいて同じアンテナポートから第１および第２のＣＳＩ参照信号を送信するように構成されている。
【００１０】
別の例示的な実施形態では、基地局は、ワイヤレス通信チャネルを介してユーザ端末と通信するように構成された送受信回路と、ユーザ端末への送信のために参照信号を送受信回路に供給する制御回路と、を備える。制御回路は、複数のサブフレームの中の第１のスロットにおいて同期信号を送信するように、複数のサブフレームのうちの１つ以上の中の第２のスロットにおいてＣＳＩ参照信号を送信するように、また、複数のサブフレームのうちの少なくとも１つにおいて同じアンテナポートを介してＣＳＩ参照信号および同期信号を送信するように構成されている。
【００１１】
別の例示的な実施形態では、基地局は、ワイヤレス通信チャネルを介してユーザ端末と通信するように構成された送受信回路と、ユーザ端末への送信のために参照信号を送受信回路に供給する制御回路と、を備える。制御回路は、フレームのうちの第１および第２のサブフレームで１次同期信号を送信するように、第１のアンテナポートを介してサブフレームの中の第１のスロットにおいて第１の２次同期信号を送信するように、第１のアンテナポートを介してサブフレームの中の第２のスロットにおいて第２の２次同期信号を送信するように、また、同じアンテナポートから第１および第２の２次同期信号を送信するように構成されている。
【００１２】
本発明の例示的な実施形態は、ユーザ端末によって実行される同期の方法をも有する。１つの例示的な実施形態では、この方法は、第１の伝送リソースの構成に従って複数のサブフレームの中の第１のスロットにおいて送信された第１のＣＳＩ参照信号を受信することと、第２の伝送リソースの構成に従って複数のサブフレームのうちの１つ以上の中の第２のスロットにおいて送信された第２のＣＳＩ参照信号を受信することと、複数のサブフレームのうちの少なくとも１つにおいて同じアンテナポートで第１および第２のＣＳＩ参照信号を受信することと、第１および第２のＣＳＩ参照信号を使用してＯＦＤＭシステムと同期することと、を含む。
【００１３】
別の例示的な実施形態では、この方法は、第１のアンテナポートを介して複数のサブフレームの中の第１のスロットにおいて同期信号を受信することと、第１のアンテナポートを介して複数のサブフレームのうちの１つ以上の中の第２のスロットにおいてＣＳＩ参照信号を受信することと、ＣＳＩ参照信号および同期信号を使用してＯＦＤＭシステムと同期することと、を含む。
【００１４】
別の例示的な実施形態では、この方法は、フレームのうちの第１のサブフレームおよびフレームのうちの第２のサブフレームで送信された１次同期信号を受信することと、第１のサブフレームの中の第１のスロットにおいて第１のアンテナポートを介して送信された第１の２次同期信号を受信することと、第１のサブフレームの中の第２のスロットにおいて第１のアンテナポートを介して送信された第２の２次同期信号を受信することと、第１および第２の同期信号を使用してＯＦＤＭシステムと同期することと、を含む。
【００１５】
本発明の他の実施形態は、基地局と同期するように構成されたユーザ端末を備える。１つの例示的な実施形態では、ユーザ端末は、ワイヤレス通信チャネルを介して基地局と通信するように構成された送受信回路と、ＯＦＤＭシステムと同期するための制御回路と、を備える。制御回路は、第１の伝送リソースの構成に従って１つ以上のサブフレームの中の第１のスロットにおいて送信された第１のＣＳＩ参照信号を受信するように、第２の伝送リソースの構成に従って複数のサブフレームのうちの１つ以上の中の第２のスロットにおいて送信された第２のＣＳＩ参照信号を受信するように、複数のサブフレームのうちの少なくとも１つにおいて同じアンテナポートで第１および第２のＣＳＩ参照信号を受信するように、また、第１および第２のＣＳＩ参照信号を使用してＯＦＤＭシステムと同期するように構成されている。
【００１６】
１つの例示的な実施形態では、ユーザ端末は、ワイヤレス通信チャネルを介して基地局と通信するように構成された送受信回路と、ＯＦＤＭシステムと同期するための制御回路と、を備える。制御回路は、第１のアンテナポートを介して複数のサブフレームの中の第１のスロットにおいて送信された同期信号を受信するように、第１のアンテナポートを介して複数のサブフレームのうちの１つ以上の中の第２のスロットにおいて送信されたＣＳＩ参照信号を受信するように、また、ＣＳＩ参照信号および同期信号を使用してＯＦＤＭシステムと同期するように構成されている。
【００１７】
１つの例示的な実施形態では、ユーザ端末は、ワイヤレス通信チャネルを介して基地局と通信するように構成された送受信回路と、ＯＦＤＭシステムと同期するための制御回路と、を備える。制御回路は、フレームのうちの第１のサブフレームおよびフレームのうちの第２のサブフレームで送信された１次同期信号を受信するように、第１のサブフレームの中の第１のスロットにおいて第１のアンテナポートを介して送信された第１の２次同期信号を受信するように、第１のサブフレームの中の第２のスロットにおいて第１のアンテナポートを介して送信された第２の２次同期信号を受信するように、また、第１および第２の同期信号の組を使用してＯＦＤＭシステムと同期するように構成されている。
【図面の簡単な説明】
【００１８】
【図１】本明細書に記載されている例示的な実施形態に係る例示的な通信ネットワークを示す図である。
【図２】１つの例示的な実施形態に係るＯＦＤＭシステムのための例示的な時間周波数グリッドを示す図である。
【図３】１つの例示的な実施形態に係るＯＦＤＭシステムのための例示的な無線フレームを示す図である。
【図４】ＬＴＥシステムで使用される様々なタイプの参照シンボルを示す図である。
【図５】１つの例示的な実施形態に係るＣＳＩ参照シンボルの例示的な構成を示す図である。
【図６】１つの例示的な実施形態に係るＣＳＩ参照シンボルのフレームタイミングを示す図である。
【図７】本発明の一実施形態に係るＣＳＩ参照シンボルの別の例示的な構成を示す図である。
【図８】本発明の一実施形態に係るＰＳＳ、ＳＳＳおよびＣＳＩ参照シンボルの例示的な構成を示す図である。
【図９】本発明の別の実施形態に係るＰＳＳ、ＳＳＳおよびＣＳＩ参照シンボルの別の構成を示す図である。
【図１０】一実施形態に係るＰＳＳ、ＳＳＳおよびＣＳＩ参照シンボルのためのフレームタイミングを示す図である。
【図１１】本発明の１つの例示的な実施形態に係るＰＳＳおよびＳＳＳの例示的な構成を示す図である。
【図１２】１つの例示的な実施形態に係るＰＳＳおよびＳＳＳのフレームタイミングを示す図である。
【図１３】時間および周波数の同期を実現し易くするためにＣＳＩ参照シンボルを送信する例示的な方法を示す図である。
【図１４】ＣＳＩ参照シンボルを使用した時間および周波数の同期の例示的な方法を示す図である。
【図１５】時間および周波数の同期を実現し易くするためにＣＳＩ参照シンボルおよび同期信号を送信する例示的な方法を示す図である。
【図１６】同期信号と組み合わせてＣＳＩ参照シンボルを使用した時間および周波数の同期の例示的な方法を示す図である。
【図１７】時間および周波数の同期を実現し易くするために同期信号を送信する例示的な方法を示す図である。
【図１８】同じサブフレームの第１および第２のスロットにおいて送信された同期信号を使用した時間および周波数の同期の例示的な方法を示す図である。
【図１９】一実施形態に係る例示的な基地局を示す図である。
【図２０】一実施形態に係る例示的なユーザ端末を示す図である。
【発明を実施するための形態】
【００１９】
次に図面を参照すると、図１は、本発明の１つの例示的な実施形態に係る例示的な通信ネットワーク１０を示す。通信ネットワーク１０は、複数のセル１２を備えるが、一つのセル１２のみが図１に示されている。各セル１２の範囲内の基地局２０は、各セル１２の範囲内のユーザ端末４０と通信する。基地局２０は、ダウンリンク通信のためのダウンリンクチャネルを介してユーザ端末４０にデータを送信し、アップリンク通信のためのアップリンクチャネルを介してユーザ端末４０からデータを受信する。
【００２０】
説明の目的のため、本発明の例示的な実施形態は、ロング・ターム・エボリューション（ＬＴＥ）システムとの関連において記述される。しかし、当業者であれば、本発明がより広く、ＷｉＭＡＸ（ＩＥＥＥ  ８０２．１６）システムのような他のＯＦＤＭシステムに適用できることを理解されよう。
【００２１】
ＬＴＥは、ダウンリンクで直交周波数分割多重化（ＯＦＤＭ）を使用し、アップリンクで離散フーリエ変換（ＤＦＴ）拡散ＯＦＤＭを使用する。ＬＴＥシステムで利用可能な無線リソースは、時間周波数グリッドとして考えることができる。図２は、ＬＴＥのための例示的なＯＦＤＭ時間周波数グリッド５０の一部を示す。一般的に、時間周波数グリッド５０は、１ミリ秒サブフレームに分割される。各サブフレームは、いくつかのＯＦＤＭシンボルを含む。マルチパス分散が非常に深刻であることが予想されない状況での使用に適している標準サイクリック・プレフィックス（ＣＰ）長に関して、１個のサブフレームは、１４個のＯＦＤＭシンボルを備える。１個のサブフレームは、拡張サイクリック・プレフィックスが使用される場合、１２個のＯＦＤＭシンボルを備える。周波数ドメインでは、物理リソースは、１５ｋＨｚの間隔で隣接する副搬送波に分割される。副搬送波の数は、割り当てられたシステム帯域幅に従って変化する。時間周波数グリッド５０の最小要素は、リソース要素５２である。リソース要素５２は、１ＯＦＤＭシンボル間隔の間に１個のＯＦＤＭ副搬送波を備える。
【００２２】
図３に示されるように、ダウンリンク送信は、１０ｍｓ無線フレーム６０に編成される。各無線フレームは、検討の目的のために、０から９の番号が付けられた１０個の均等サイズのサブフレーム６２を備える。
【００２３】
ダウンリンク送信のためのリソースは、リソース・ブロック（ＲＢ）と呼ばれる単位で割り当てられる。各リソース・ブロックは、１２個の副搬送波（隣接することがあり、または、周波数スペクトル全域に分布していることがある）と１つの０．５ｍｓスロット（１個のサブフレームの半分）との範囲に広がる。したがって、１個のリソース・ブロックは、標準サイクリック・プレフィックスに関して、８４個のリソース要素を備える。用語「リソース・ブロック・ペア」は、１ｍｓサブフレーム全体を占める２個の連続するリソース・ブロックを指す。
【００２４】
多入力多出力（ＭＩＭＯ）動作に関して、信号は、基地局２０で複数のアンテナから送信され、ユーザ端末４０で複数のアンテナによって受信される。基地局からの伝送情報は、アンテナポートから送信されることに注意すべきである。アンテナポートは、必ずしも物理アンテナに対応しないことにも注意すべきである。どちらかと言えば、アンテナポートは、物理アンテナと送信機でビームフォーミング技術を使用して作成された仮想アンテナとの両方を包含するより一層一般的な概念である。ＬＴＥの現行バージョンでは、最大８個のアンテナポートがサポートされる。
【００２５】
無線チャネルは、アンテナポートから送信された信号を歪める。基地局２０によって送信された信号を復調するために、ユーザ端末４０は、ダウンリンクで送信された参照信号（ＲＳ）に依拠する。参照信号と、時間周波数グリッドにおける参照信号の位置は、ユーザ端末４０に既知であり、参照シンボルへの無線チャネルの影響を測定することによりチャネル推定値を決定するために使用されることができる。
【００２６】
参照信号は、ダウンリンク時間周波数グリッドの範囲内で特定のリソース要素を占める所定の信号である。図４は、ＬＴＥシステムで送信された参照信号の一部を示す。ＬＴＥは、共通参照信号（ＣＲＳ）、復調参照信号（ＤＭ−ＲＳ）、およびチャネル状態情報（ＣＳＩ）参照信号（ＣＳＩ−ＲＳ）を含むいくつかの異なるタイプのダウンリンク参照信号を使用する。
【００２７】
ＣＲＳは、周波数ドメインにおいて各ダウンリンクサブフレームおよび各リソース・ブロックで送信され、したがって、セル帯域幅全体を網羅する。ＣＲＳは、コヒーレント変調のためのチャネル推定を実行するためにユーザ端末４０によって使用されることができる。ＣＲＳは、チャネル状態情報（ＣＳＩ）を獲得するためにもユーザ端末４０によって使用されることができる。ＣＲＳについての測定値もまたセル選択およびハンドオーバー決定のために使用されることがある。
【００２８】
ユーザ端末固有参照信号と呼ばれることもある復調参照信号（ＤＭ−ＲＳ）は、特定のユーザ端末４０またはユーザ端末４０のグループによる使用を目的とする。ＤＭ−ＲＳは、その結果、ダウンリンク送信のために使用されるリソース・ブロックの範囲内だけで物理ダウンリンク共有チャネル（ＰＤＳＣＨ）上の特定のユーザ端末４０またはユーザ端末４０のグループに送信される。
【００２９】
ＣＳＩ参照信号は、符号表に基づかないプリコーディングが利用されているときのような復調参照信号がチャネル推定のために使用される場合、チャネル状態情報を獲得するためのユーザ端末４０による使用を目的とする。ＤＭ−ＲＳは、ＤＭ−ＲＳに関連したダウンリンク伝送情報と共にプリコードされるので、プリコードされたＤＭ−ＲＳは、送信側に適用された特定のプリコーディングについて受信機器に明示的に通知されることなく、送信されたレイヤを復調し復元するために受信機器によって使用されることができる。このような場合、それでもなお、受信機器がプリコーダの推奨情報を基地局にシグナル通知することが望ましいことがある。ＤＭ−ＲＳは、それ自体がプリコードされるので、物理チャネルではなく、プリコードされたレイヤ（どのようなプリコーディングも含む）における等価チャネルを推定するためだけに使用されることができる。その結果として、このような状況では、端末固有ＣＳＩ−ＲＳは、ＣＳＩを発生させる手順の一部としてチャネル推定のために使用されることがある。例えば、ＣＳＩ−ＲＳは、送信モード９（ＬＴＥのリリース１０に規定されるように、最大８レイヤの伝送情報のために符号表に基づかないプリコーディングを行う）がＬＴＥネットワークで利用されるとき、ＣＳＩを発生させるためにＵＥによって使用される。ＣＳＩ−ＲＳは、ＣＲＳより著しく低い時間／周波数密度を有するので、ＣＳＩだけを目標とする参照信号の場合、より一層効率的である。付加的に、ＣＳＩ−ＲＳの時間／周波数割り当ては、選択的に構成されることができるので、このような状況においてＣＳＩ発生のためにＣＳＩ−ＲＳを使用することは、著しい柔軟性という結果をもたらすことができる。
【００３０】
セル１２は、１個、２個、４個、または８個のＣＳＩ参照信号を用いて構成されることができる。ＣＳＩ参照信号構成は、セルの範囲内で使用されたＣＳＩ参照信号の数によって決まり、異なるセルに対して異なることがある。リソース・ブロック・ペアの範囲内に、ＣＳＩ参照信号の参照シンボルのために４０個の位置が存在する可能性がある。ＣＳＩ参照信号の期間は、５ミリ秒毎に１回ずつの最大周波数から１６０ミリ秒毎に１回ずつの最小周波数までを用いても構成可能である。
【００３１】
上記参照信号に加えて、基地局２０は、セル探索動作のための時間および周波数の同期を実現し易くするために１次同期信号（ＰＳＳ）および２次同期信号（ＳＳＳ）を送信する。周波数分割複信（ＦＤＤ）動作に関し、ＰＳＳおよびＳＳＳは、サブフレーム０およびサブフレーム５の第１のスロットにおいて最後の２個のＯＦＤＭシンボルの範囲内で送信される。時分割複信（ＴＤＤ）動作に関し、ＳＳＳは、サブフレーム０およびサブフレーム５の最後のＯＦＤＭシンボルにおいて送信され、ＰＳＳは、サブフレーム１およびサブフレーム６の３番目のＯＦＤＭシンボルで送信される。ＰＳＳおよびＳＳＳは、周波数ドメインにおいて６個のリソース・ブロックを占めるシステム帯域幅の中心で送信される。前述の通り、ＰＳＳおよびＳＳＳの構成は、粗い時間および周波数の同期を可能にする。ＣＲＳは、時間と周波数両方の同期を微調整するために使用される。このアプローチの１つの不利点は、ＣＲＳの高密度が高いオーバーヘッドを結果として招くことである。
【００３２】
本発明の例示的な実施形態では、ＣＳＩ参照信号は、複数のＣＳＩ参照信号、またはＰＳＳおよびＳＳＳと組み合わせたＣＳＩ参照信号が、ＣＲＳを使用する同期に近い性能で、しかし、より一層効率的な方式で、時間および周波数の同期を維持するために使用されることがあるように構成される。
【００３３】
概して、同期信号は、所定の時刻に（例えば、各フレームの範囲内の特定のサブフレームおよび／またはスロットにおいて）基地局２０によって送信され、同期信号の各々が既知の組から選ばれた値または値群を搬送する。これらの値または値群は、既知の組から選ばれるので、値（群）は、受信機器が当該セル１２（例えば、同期されていないユーザ端末４０）において使用されているフレームタイミングを未だ認識していないとしても、同期信号の一部分であるとして（および／または同期信号の特別なタイプであるとして）受信機器によって認識されることができる。受信機器は、その後、受信された同期信号（群）のタイミングを使用して、当該セル１２で使用されているフレームタイミングを決定し、それによって、受信装置がセル１２と同期することを可能にすることがある。特定の実施形態では、同期信号は、選択された特定の値（群）に基づいて付加情報を搬送することもある。
【００３４】
例えば、特定の実施形態では、各セル１２は、５０４個の異なる物理レイヤセル識別情報のうちの１つに関連付けられる。５０４個の異なる物理レイヤセル識別情報は、１つずつが３個のセル識別情報を含む１６８個の異なるセル識別情報グループに分割される。このような実施形態では、基地局２０は、３個の所定のＺａｄｏｆｆ−Ｃｈｕ（ＺＣ）系列のうちの１つを備えるＰＳＳを送信し、送信された特定のＺＣ系列は、特別なセル識別情報グループの範囲内から、関連したセル１２のセル識別情報を識別する。このような実施形態では、基地局２０は、フレーム毎にＳＳＳ群（ＳＳＳ１およびＳＳＳ２）のペアも送信し、各ＳＳＳは、フレームの範囲内の所定のサブフレームの間に送信される。ＳＳＳ１およびＳＳＳ２は両方とも、１６８個の所定のｍ−系列のペア（ＸおよびＹ）のうちの１つから発生させられ、ＸおよびＹは、当該ＳＳＳにおいて周波数インターリーブされている。同じｍ−系列のペア、ＸおよびＹは、ＳＳＳ１およびＳＳＳ２を両方とも発生させるために使用されるが、ＳＳＳ２は、周波数ドメインにおいてＳＳＳ１に呼応してＸおよびＹをスワップさせる。その結果、このタイプの実施形態では、ユーザ端末４０は、ＳＳＳ１またはＳＳＳ２を使用してセル１２に対するセル識別情報グループを決定し、また、ＰＳＳを使用してこのセル識別情報グループの中の特別なセル識別情報を識別するために、セル１２に関連付けられた５０４個の異なる物理レイヤセル識別情報のうちの１つを識別できることがある。さらに、ｍ−系列の当該ペアは、ＳＳＳ１とＳＳＳ２との間で周波数スワップされているので、ユーザ端末４０は、送信されたＸおよびＹ系列の周波数マッピングに基づいて有効ＳＳＳ１または有効ＳＳＳ２を受信したか否かを判断できる。その結果として、このような実施形態では、ユーザ端末４０は、ＰＳＳ、およびＳＳ１とＳＳ２のうちの１つだけを受信した後にセル１２と同期できることがある。
【００３５】
図５は、時間および周波数の同期のためにＣＳＩ参照信号を使用する発明の例示的な実施形態におけるリソース・ブロック７０を示す。本実施形態では、２個のＣＳＩ参照信号８０が同じサブフレームの第１および第２のスロットにおいてそれぞれ送信され、周波数をオフセットする。ＣＳＩ参照信号は、セル１２の中の単一の基地局２０から、または、セル１２の範囲内の異なるもしくは複数の送信点から送信されることがある。第１のＣＳＩ−ＲＳは、サブフレームの第１のスロットの最後の２個のシンボルで送信され、第２のＣＳＩ−ＲＳは、同じサブフレームの第２のスロットの最後の２個のシンボルで送信される。したがって、第１および第２のスロットの中のＣＳＩ−ＲＳは、時間ドメインにおいて０．５ｍｓずつ分離される。第１および第２のＣＳＩ−ＲＳは、図５に示されるように、２つの伝送情報が一緒であると見なされるとき、周波数ドメインにより高い密度を与えるために異なる副搬送波で送信されることがある。
【００３６】
図５に示された２個のＣＳＩ−ＲＳ信号は、同じアンテナポートから送信される。同じアンテナポートがＣＳＩ参照信号を送信するために使用されるので、ＣＳＩ−ＲＳは、同じ物理アンテナから送信されること、また、２個のＣＳＩ−ＲＳを使用して測定されたチャネルは同じであることが保証される。それ故に、これらの２個の異なるＣＳＩ−ＲＳで測定を実行することは、同期を支援するために使用されることができる。
【００３７】
従来のシステムが、同じセル１２の範囲内で複数のＣＳＩ−ＲＳ構成を可能にしたことに留意されるかもしれない。しかし、従来のシステムは、同じアンテナポートが使用されることを必要としなかった。その結果、ユーザ端末４０は、異なるＣＳＩ−ＲＳ構成のアンテナポート間の関係について仮定を行うことができず、同期目的のためにこれらの参照シンボルを使用できなかった。これに反して、本発明の特定の実施形態は、同じアンテナポートを介して同じサブフレームの異なるスロットにおいて送信された２個の異なって構成されたＣＳＩ参照信号を使用することにより時間および周波数の同期を可能にすることがある。
【００３８】
図６に示されるように、２個のＣＳＩ−ＲＳの周期性は、個々に構成されることがある。図６に示された実施例では、第１のＣＳＩ−ＲＳは、５ｍｓの周期性、すなわち、５サブフレームで送信される。第２のＣＳＩ−ＲＳは、２０ｍｓの周期性、すなわち、２０サブフレームで送信される。周期は、同期のために使用されるＣＳＩ−ＲＳが２０ｍｓ毎に第１および第２のスロット両方において送信されるように整えられる。第２のスロットにおいて送信されたＣＳＩ−ＲＳに対する低い方の繰り返し周波数は、オーバーヘッドを低減するが、それでもなお、２０ｍｓ毎に送信されたＣＳＩ−ＲＳを使用した同期の微調整を可能にする。
【００３９】
１つの例示的な実施形態では、第１のスロットにおいて送信されたＣＳＩ−ＲＳは、品質推定および同期のために使用され、第２のスロットにおいて送信されたＣＳＩ−ＲＳは、同期のためだけに使用される。
【００４０】
図７は、別の例示的な実施形態におけるリソース・ブロック７０を示す。本実施形態では、オーバーヘッドを低減するために、より多数のＣＳＩ−ＲＳ  ８０が第１のスロットにおいて送信され、より少数のＣＳＩ−ＲＳが第２のスロットにおいて送信される。図７に示されるように、８個のリソース要素が４個の異なるアンテナポートからの４個のＣＳＩ−ＲＳの送信のために第１のスロットに割り当てられる。２個のリソース要素は、１個のＣＳＩ−ＲＳの送信のために第２のスロットに割り当てられる。第２のスロットの中のＣＳＩ−ＲＳは、同期を可能にするために第１のスロットの中のＣＳＩ−ＲＳのうちの１つのために使用された同じアンテナポートから送信される。第１のスロットの中のＣＳＩ−ＲＳは、より高い繰り返し周波数で送信され、チャネル品質推定および同期の両方のために使用されることがある。第２のスロットの中のＣＳＩ−ＲＳは、より低い繰り返し周波数で送信されることがあり、主に同期のために使用される。
【００４１】
図８は、時間および周波数の同期を取るためにＣＳＩ−ＲＳがＰＳＳおよびＳＳＳとの組み合わせで使用される別の例示的な実施形態におけるリソース・ブロック７０を示す。本実施形態では、ＣＳＩ−ＲＳは、ＰＳＳおよびＳＳＳと同じサブフレームで送信される。前述の通り、ＰＳＳおよびＳＳＳは、帯域幅の中心で６個のリソース・ブロックに現れる。図８に示された実施形態では、ＰＳＳは、サブフレームの中の第１のスロットの最後のシンボルを占め、ＳＳＳは、第１のスロットの中の最後から２番目のシンボルを占める。ＰＳＳおよびＳＳＳと異なり、ＣＳＩ−ＲＳは、帯域幅全体の範囲に広がり、第２のスロットの最後の２個のシンボルで送信される。第２のスロットの中の少なくとも１個のＣＳＩ−ＲＳで使用されたアンテナポートは、ＰＳＳおよびＳＳＳのために使用されたアンテナポートと同じである。ＣＳＩ−ＲＳの周期性は、５ｍｓ毎、または、５ｍｓの数倍であることがある。ＰＳＳおよびＳＳＳは、時間同期のために良好な特性を有する。ＰＳＳおよびＳＳＳは、第２のスロットの中のＣＳＩ−ＲＳと共に、周波数同期の優れた性能を生じさせることになる。
【００４２】
図９は、時間および周波数の同期のためにＰＳＳおよびＳＳＳと組み合わせてＣＳＩ−ＲＳを使用する別の実施形態における２個のリソース・ブロック７０を示す。時分割複信（ＴＤＤ）を使用するＬＴＥシステムでは、ＰＳＳおよびＳＳＳは、いつでも同じサブフレームで送信されるというわけではない。例えば、ＳＳＳは、サブフレーム０およびサブフレーム５の中の最後のシンボルで送信されることがあるが、ＰＳＳは、サブフレーム１およびサブフレーム６の中の３番目のシンボルで送信される。本実施形態では、ＣＳＩ−ＲＳは、ＳＳＳと同じサブフレームで送信されることがある。図９に示された実施形態では、ＣＳＩ−ＲＳは、ＳＳＳと同じサブフレームの中の第１のスロットの中の最後の２個のシンボルで送信される。ＣＳＩ−ＲＳのために使用されたアンテナポートは、ＳＳＳおよびＰＳＳのために使用されたアンテナポートと同じである。
【００４３】
図１０は、一実施形態に係るＣＳＩ−ＲＳ、ＰＳＳ、およびＳＳＳのタイミングを示す。図１０に示されるように、ＰＳＳおよびＳＳＳは、５ｍｓ毎に連続するサブフレームで送信される。ＣＳＩ−ＲＳは、２０ｍｓ毎にＳＳＳと同じサブフレームで送信される。
【００４４】
ＬＴＥリリース１０およびこれより前のリリースにおける周波数分割複信（ＦＤＤ）に関し、ＳＳＳおよびＰＳＳは、５ミリ秒毎に１回ずつ連続するＯＦＤＭシンボルに現れる。ＳＳＳ信号は、ＳＳＳ１およびＳＳＳ２と表記される２個の異なる信号の間交互に入れ替わる。本発明の別の例示的な実施形態（例えば、図１１）では、ＰＳＳおよびＳＳＳ信号の構成は、微細な時間および周波数の同期を可能にするために修正されることがある。
【００４５】
図１１は、別の例示的な実施形態に係る無線フレーム６０における２個のリソース・ブロック７０を示す。本実施形態では、ＰＳＳは、第１のスロットの中の最後のシンボルで送信される。ＳＳＳ１は、サブフレームの第１のスロットにおける最後から２番目のシンボルで送信され、ＳＳＳ２は、同じサブフレームの第２のスロットの中の最後のシンボルで送信される。ＳＳＳ２信号は、ＳＳＳ１と同じアンテナポートから送信される。サブフレームの中の第２のスロットにおけるＳＳＳ２の送信は、周波数同期の性能を改善することになる。
【００４６】
図１２は、図１１に示された実施形態における同期信号のタイミングを示す。図１２に示されるように、ＰＳＳは、５個のサブフレーム毎に送信され、ＳＳＳ１およびＳＳＳ２は、１０個のサブフレーム毎に送信される。当業者であれば、ＳＳＳ１およびＳＳＳ２信号の周波数が変化し得ることを理解されよう。
【００４７】
２個のＳＳＳ系列は、ＴＤＤ動作に関し、同じサブフレームで送信されることもあり得る。この場合、ＳＳＳ信号のうちの一方は、スロット１の最後に送信され、もう一方は、スロット２の最後に送信されることがあり得る。代替的に、ＴＤＤの事例は、ＳＳＳとＰＳＳとの間に既に３個のＯＦＤＭシンボル分のギャップを有するので、ＳＳＳ２シンボルをより早く送信することにより周波数推定性能を改善するために、ギャップはより一層大きくされることができる。
【００４８】
異なった基地局２０は、サブフレーム番号付けは全ての基地局に対して同じであるが、ＰＳＳおよびＳＳＳは各基地局に対して異なったサブフレームに現れるように、ＰＳＳおよびＳＳＳをスケジュールするために異なったサブフレームオフセットを使用することがある。この時差送信は、ＰＳＳ信号に対する基地局２０間の干渉を軽減し、ＰＳＳが時間および周波数の同期のために使用されるときに性能を著しく改善する。例えば、５台の基地局２０の各々が、３個の区別可能なＰＳＳ系列を有するシンクロシステムにおいて５個の異なるサブフレームオフセットを使用する場合、１５という有効再利用率が実現されることができる。いずれかの基地局２０に対してＰＳＳおよびＳＳＳ信号を搬送するサブフレーム番号は、物理ブロードキャストチャネル（ＰＢＣＨ）メッセージで基地局２０によってユーザ端末４０にシグナル通知されることができる。
【００４９】
図１３は、ＯＦＤＭシステムにおける同期のために使用される参照信号を送信するために基地局２０によって実施される例示的な方法１００を示す。基地局２０は、複数のサブフレームの中の第１のスロットにおいてＣＳＩ参照信号を送信する（ブロック１１０）。第１のＣＳＩ信号は、第１の伝送リソースの構成を使用する。基地局２０は、複数のサブフレームのうちの１つ以上の中の第２のスロットにおいて第２のＣＳＩ参照信号も送信する（ブロック１２０）。第２のＣＳＩ参照信号は、第２の伝送リソースの構成を使用して送信される。基地局２０は、複数のサブフレームのうちの少なくとも１つにおいて同じアンテナポートを使用して第１および第２のＣＳＩ参照信号を送信する（ブロック１３０）。
【００５０】
図１４は、ユーザ端末４０によって実施される時間および周波数の同期の例示的な方法１５０を示す。ユーザ端末４０は、複数のサブフレームの中の第１のスロットにおいて第１の参照信号を受信する（ブロック１６０）。第１の参照信号は、第１の伝送リソースの構成を使用して送信される。ユーザ端末４０は、複数のサブフレームのうちの１つ以上の中の第２のスロットにおいて第２のＣＳＩ参照信号も受信する（ブロック１７０）。第２のＣＳＩ参照信号は、第２のＣＳＩリソースの構成を使用する。ユーザ端末４０は、複数のサブフレームのうちの少なくとも１つのサブフレームにおいて同じアンテナポートを介して第１および第２の参照信号を受信する（ブロック１８０）。ユーザ端末４０は、その後、第１および第２のＣＳＩ参照信号を使用してＯＦＤＭシステムと同期する（ブロック１９０）。
【００５１】
図１５は、基地局２０によって実施される、ＯＦＤＭシステムにおける同期のために参照信号を送信する別の例示的な方法２００を示す。基地局２０は、複数のサブフレームの中の第１のスロットにおいて第１のアンテナポートを介して１個以上の同期信号を送信する（ブロック２１０）。基地局２０は、同期信号の送信のために使用される複数のサブフレームのうちの１つ以上の中の第２のスロットにおいて第１のアンテナポートを介してＣＳＩ参照信号も送信する（ブロック２２０）。
【００５２】
図１６は、ユーザ端末４０で実施されるＣＳＩ信号と組み合わせて同期信号を使用する、同期の例示的な方法２５０を示す。ユーザ端末４０は、複数のサブフレームの中の第１のスロットにおいて第１のアンテナポートを介して送信された同期信号を受信する（ブロック２６０）。ユーザ端末４０は、同期信号の送信のために使用される複数のサブフレームのうちの１つ以上の中の第２のスロットにおいて第１のアンテナポートを介して送信されたＣＳＩ参照信号も受信する（ブロック２７０）。同期信号およびＣＳＩ参照信号は、同じアンテナポートを介して送信されるので、ユーザ端末４０は、同期信号と同じポートを介して受信されたＣＳＩ参照信号を使用してＯＦＤＭシステムと同期することができる（ブロック２８０）。
【００５３】
図１７は、基地局２０によって実施されるＯＦＤＭシステムにおける同期のために使用される参照信号を送信する例示的な方法３００を示す。この方法では、基地局は、フレームの第１のサブフレームおよびフレームの第２のサブフレームで１次同期信号を送信する（ブロック３１０）。基地局は、第１のサブフレームの中の第１のスロットにおいて第１のアンテナポートを介して第１の２次同期信号を送信する（ブロック３２０）。改良された周波数同期を実現し易くするために、基地局は、第１のサブフレームの中の第２のスロットにおいて第１のアンテナポートを介して第２の２次同期信号も送信する（ブロック３３０）。
【００５４】
図１８は、ユーザ端末４０によって実施される同期の例示的な方法３５０を示す。ユーザ端末４０は、フレームの第１のサブフレームおよびフレームの第２のサブフレームで送信された１次同期信号を受信する（ブロック３６０）。ユーザ端末４０は、第１のサブフレームの中の第１のスロットにおいて第１のアンテナポートによって送信された第１の２次同期信号を受信する（ブロック３７０）。ユーザ端末４０は、第１のサブフレームの中の第２のスロットにおいて第１のアンテナポートによって送信された第２の２次同期信号も受信する（ブロック３８０）。ユーザ端末４０は、その後、１次同期信号、第１の２次同期信号、および第２の２次同期信号を使用してＯＦＤＭシステムと同期することができる（ブロック３９０）。
【００５５】
図１９は、一実施形態に係る例示的な基地局２０およびユーザ端末４０を示す。図１９に示されたように、基地局２０は、参照信号を発生させ、ユーザ端末４０に送信する。
【００５６】
基地局２０は、送受信回路２２および制御回路２４を備える。送受信回路２２は、例えば、ＬＴＥシステムまたは他のＯＦＤＭシステムで動作するように構成された送信機および受信機を備えることがある。送信機および受信機は、１本以上のアンテナ２６に連結されている。制御回路２４は、ＬＴＥ規格に従って基地局２０の動作を制御する。制御回路２４の機能は、１台以上のマイクロプロセッサ、ハードウェア、ファームウェア、またはこれらの組合せによって実施されることがある。制御回路２４の機能は、本出願に記載されているように同期のための参照信号を発生させることおよび送信することを含む。制御回路２４は、同期のための参照信号を送信するように、図１３、１５、および１７に示された方法を実施するように構成されることがある。
【００５７】
ユーザ端末４０は、送受信回路４２および制御回路４４を備える。送受信回路４２は、例えば、ＬＴＥシステムまたは他のＯＦＤＭシステムで動作するように構成された送信機および受信機を備えることがある。送信機および受信機は、１本以上のアンテナ４６に連結されている。制御回路４４は、ＬＴＥ規格に従ってユーザ端末４０の動作を制御する。制御回路４４の機能は、１台以上のマイクロプロセッサ、ハードウェア、ファームウェア、またはこれらの組合せによって実施されることがある。制御回路４４の機能は、本出願に記載されているように基地局２０との同期を含む。この点で、制御回路４４は、図１４、１６および１８に示された方法を実施するように構成されることがある。
【００５８】
このように、以上の説明および添付図面は、本明細書において教示された方法および装置の非限定的な実施例を表す。したがって、本発明は、以上の説明および添付図面によって限定されることはない。それどころか、本発明は、以下の請求項および請求項の法律上の均等物によってのみ限定される。
【図１】
2014531867.tif 000003
【図２】
2014531867.tif 000004
【図３】
2014531867.tif 000005
【図４】
2014531867.tif 000006
【図５】
2014531867.tif 000007
【図６】
2014531867.tif 000008
【図７】
2014531867.tif 000009
【図８】
2014531867.tif 000010
【図９】
2014531867.tif 000011
【図１０】
2014531867.tif 000012
【図１１】
2014531867.tif 000013
【図１２】
2014531867.tif 000014
【図１３】
2014531867.tif 000015
【図１４】
2014531867.tif 000016
【図１５】
2014531867.tif 000017
【図１６】
2014531867.tif 000018
【図１７】
2014531867.tif 000019
【図１８】
2014531867.tif 000020
【図１９】
2014531867.tif 000021
【図２０】
2014531867.tif 000022
【国際調査報告】
2014531867.tif 000023
2014531867.tif 000024
2014531867.tif 000025